(57)【要約】【課題】ホルミシス効果やマイナスイオン効果を生じる鉱石を超微粒子粉末とし、それらを不織布に付着固定させることにより身体の必要とする箇所に簡単で且つピンポイントとして集中的に上記効果を作用させることができることを目的とするものである。【解決手段】低線量領域の放射線、遠赤外線又はマイナスイオンのいずれか或いはそのいくつかを発生する１０ｎｍ乃至１００μｍの超微粒子粉末鉱石を接着剤と混合したものを不織布と一体化し、該不織布の裏面側に貼着剤層を形成し、該貼着剤層を剥離紙で被覆してなる一使用単位を１０ｍｍφ乃至３０ｍｍφの円形形状或いは一辺が１０ｍｍ乃至３０ｍｍの角形形状としたことを特徴とする可撓性を有する薄片の岩盤浴用貼着シール。【選択図】図１
0003133307.tif 000002
【実用新案登録請求の範囲】
【請求項１】
低線量領域の放射線、遠赤外線又はマイナスイオンのいずれか或いはそのいくつかを発生する１０ｎｍ乃至１００μｍの超微粒子粉末鉱石を接着剤と混合したものを不織布と一体化し、該不織布の裏面側に貼着剤層を形成し、該貼着剤層を剥離紙で被覆してなる一使用単位を１０ｍｍφ乃至３０ｍｍφの円形形状或いは一辺が１０ｍｍ乃至３０ｍｍの角形形状としたことを特徴とする可撓性を有する薄片の岩盤浴用貼着シール。
【請求項２】
貼着剤層は、低線量領域の放射線、遠赤外線又はマイナスイオンのいずれか或いはそのいくつかを発生する１０ｎｍ乃至１００μｍの超微粒子粉末鉱石と接着剤とを混合したものとしたことを特徴とする請求項１記載の岩盤浴用貼着シール。
【請求項３】
不織布には、通気性のための微小貫通孔が形成されてなることを特徴とする請求項１又は２のいずれか記載の岩盤浴用貼着シール。
【考案の詳細な説明】
【技術分野】
【０００１】
本考案は、低線量領域の放射線、遠赤外線又はマイナスイオンのいずれか或いはそのいくつかを発生する超微粒子粉末鉱石を貼着シールに付着してなる岩盤浴用貼着シールに関する。
【背景技術】
【０００２】
従来より低線量領域の放射線、遠赤外線及びマイナスイオンを発生する鉱石は知られており、例えば、玉川温泉のように上記の効能を生じる鉱石上に横臥して癌の治療や身体の活性化を図ることが行われている。この玉川温泉における鉱石からはホルミシス効果を生じる低線量領域の放射線が発生し、それらが身体に好ましい影響を与えており、このことを一般的に岩盤浴と称している。
【０００３】
また、玉川温泉に存在するものと同等の鉱石を塊状或いは砂状となるように破砕又は粉砕し、それらの物質を室内に配置したり、浴槽へ投入したり、飲料水に使用したりし、上記と同様の効果を得ることが試みられている。
【０００４】
更に、特開２００６−７５５５５号公報のように、上記破砕或いは粉砕した鉱石をマット状体或いは帯状体等の他の部材と組み合わせ、身体の患部や適宜箇所にそれらを取着することにより上記と同様の効果を得るようにしているものも存在する。
【特許文献１】特開２００６−７５５５５号公報
【考案の開示】
【考案が解決しようとする課題】
【０００５】
上記従来のいずれの手段も簡単に対応できるものではなく、所定の場所に出かけたり、患部等の特定箇所に取着固定する作業等を行わなければならず、ワンタッチで簡単に対応できるようなものではなかった。
【課題を解決するための手段】
【０００６】
本考案は、上記欠点を解決する手段として、低線量領域の放射線、遠赤外線又はマイナスイオンのいずれか或いはそのいくつかを発生する１０ｎｍ乃至１００μｍの超微粒子粉末鉱石を接着剤と混合したものを不織布と一体化し、該不織布の裏面側に貼着剤層を形成し、該貼着剤層を剥離紙で被覆してなる一使用単位を１０ｍｍφ乃至３０ｍｍφの円形形状或いは一辺が１０ｍｍ乃至３０ｍｍの角形状とした可撓性を有する薄片の岩盤浴用貼着シールを特徴とする。
【０００７】
また、上記貼着剤層は、低線量領域の放射線、遠赤外線又はマイナスイオンのいずれか或いはそのいくつかを発生する１０ｎｍ乃至１００μｍの超微粒子粉末鉱石と接着剤とを混合したものとした岩盤浴用貼着シールを特徴とする。
【０００８】
更に、上記不織布には、通気性のための微小貫通孔が形成されてなる岩盤浴用貼着シールを特徴とする。
【考案の効果】
【０００９】
本考案の岩盤浴用貼着シールは、身体の患部に該貼着シールから剥離紙を剥がして直接貼着する簡単な操作により、貼着したシールから低線量領域の放射線、遠赤外線又はマイナスイオンのいずれか或いはそのいくつかが放射されることになり、それらは身体の必要とする箇所にピンポイントとして集中的に作用することができ、身体の細胞が活性化され、血液の循環が良好となる結果、肩こりや腰痛の緩和、自律神経の調整、疲労感の緩和等を得ることが可能となった。
【００１０】
また、目の粗い不織布或いは超微粒子粉末鉱石を付着した後の材料に小孔群を形成することにより多数の貫通孔が得られ、剥離紙を剥がした貼着シールの使用時における当該箇所の皮膚に通気性を与えることが可能となった。
【考案を実施するための最良の形態】
【００１１】
以下、本考案の最良の実施の形態を図面に基づいて説明する。
【実施例１】
【００１２】
本考案の岩盤浴用貼着シール１は、図１乃至図３に示すように、低線量領域の放射線、遠赤外線又はマイナスイオンのいずれか或いはそのいくつかを発生する鉱石をミクロン単位又はナノ単位の粉末（以下、超微粒子粉末という）鉱石を付着固定した不織布２、該不織布の裏面側に設けた貼着剤層３及びその裏面側全体を覆う剥離紙４とより構成している。
【００１３】
上記鉱石としては、低線量領域の放射線又は／及びＥマイナス電子を発生する斑状花崗閃緑岩及び麦飯石、モナズ石或いはラジウム、酸化トリウム等を含む希土類鉱石等が最適であり、また、遠赤外線を発生する鉱石としてシリカ、電気石、天源石等がある。その他、低線量領域の放射線、遠赤外線又はマイナスイオンを発生する鉱石であればある程度の効果が期待できる。
【００１４】
上記鉱石を１０ｎｍ乃至１００μｍ径の超微粒子粉末となるように粉砕し、該超微粒子粉末状鉱石に接着剤を混合している。上記バインダーとしてはアクリル共重合体のものが最適である。上記により、ホルミシス効果やマイナスイオン効果を生じる超微粒子粉末鉱石を含む材料を完成させる。該超微粒子粉末鉱石と接着剤との混合重量比は１：０．５乃至３が選択される。
【００１５】
該超微粒子粉末鉱石を不織布に付着固定して一体化させる手段としては、該超微粒子粉末鉱石と接着剤とのゾル状の状態下に不織布を漬け、該不織布の織目全体に当該超微粒子粉末鉱石混合物を付着固定する。
【００１６】
上記不織布に付着固定して一体化する手段としては、上記の他、スプレーや刷毛等の塗着手段等も採用することが可能である。
【００１７】
上記手段によって不織布に超微粒子粉末状鉱石を付着固定して一体化した後、乾燥させ、その後、裏面側に接着剤を塗布或いはその他の手段により貼着剤層３を完成させる。該接着剤としては身体の皮膚にかぶれが生じるとかの損傷の生じない無機系の接着剤或いは有害物質を含まない有機系の接着剤が使用される。
【００１８】
上記接着剤に、不織布に付着固定させた超微粒子粉末状鉱石と同様の超微粒子粉末を混入させておくことにより更なる効果を奏することができる。
【００１９】
貼着剤層３の形成後、該貼着剤層３側の面に剥離紙４を着脱自在に設ける。該剥離紙４は、岩盤浴用貼着シールの使用単位となる一単体毎或いはそれらの多数個を被覆するようにして設ける。
【００２０】
上記岩盤浴用貼着シール１は、その一使用単位が１０ｍｍφ乃至３０ｍｍφの円形或いは円形に近い楕円形や多角形の形状のもの（円形形状という）、又は一辺が１０ｍｍ乃至３０ｍｍの三角形、四角形、五角形等の形状のもの（角形形状という）とすることにより使用が簡便となる。
【００２１】
上記構成よりなる岩盤浴用貼着シール１は、剥離紙４から一単体を剥がした貼着シールを、身体の必要とする患部等に貼着する。剥離紙を除去した岩盤浴用貼着シールからは低線量領域の放射線、遠赤外線又はマイナスイオンのいずれか或いはそのいくつかが該患部等に直接放射されることになる。
【実施例２】
【００２２】
図４に示すものは、目の粗い不織布２´或いは超微粒子粉末状鉱石を付着固定した後の材料に多数の小孔５を形成している。目及び小孔５は貫通孔となっているため、剥離紙を除去した岩盤浴用貼着シール１´を身体に使用している状態でも当該部分の皮膚との通気性を良好とすることができる。他の構成は実施例１と同様である。
【図面の簡単な説明】
【００２３】
【図１】本考案の岩盤浴用貼着シールの断面図。
【図２】本考案の岩盤浴用貼着シールの平面図。
【図３】本考案の１枚の剥離紙に多数個を並べた状態の岩盤浴用貼着シールの平面図。
【図４】本考案の岩盤浴用貼着シールの他の実施例を示す平面図。
【符号の説明】
【００２４】
１          岩盤浴用貼着シール
２          不織布
３          貼着剤層
４          剥離紙
５          小孔
【図１】
0003133307.tif 000003
【図２】
0003133307.tif 000004
【図３】
0003133307.tif 000005
【図４】
0003133307.tif 000006